(57)【特許請求の範囲】
【請求項１】
複数の識別情報を可変表示可能な可変表示手段と、
遊技球の遊技領域中に設ける始動入賞口と電動チューリップを備える役物始動口とから成る所定領域への遊技球の通過を検出する入球検出手段と、
前記入球検出手段による検出を前記可変表示を開始するための始動条件の成立として判定する始動条件判定手段と、
前記始動条件判定手段により始動条件の成立が判定された場合に、後記する当選遊技の実行中ではないことを含む予め定められている可変表示の実行条件が充足されていることを条件に、前記可変表示手段による可変表示を実行する可変表示実行手段と、
前記遊技領域中に設けられ、遊技球の入球が困難もしくは不能な状態から容易な状態への作動が可能であり、遊技球の入球により所定個数の遊技球を払い出す複数の遊技球が同時に入球可能な大入賞口から成る可変入賞装置と、
前記始動入賞口に対する始動条件の成立に基づいて第１特別図柄抽選を行うための第１特別図柄対応乱数を取得し、前記役物始動口に対する始動条件の成立に基づいて前記第１特別図柄抽選よりも出玉の期待値を大きくした第２特別図柄抽選を行うための第２特別図柄対応乱数を取得する乱数取得手段と、
前記乱数取得手段によって取得された第１特別図柄対応乱数と第２特別図柄対応乱数のそれぞれについての当否及び当選内容を判定する当否判定手段と、
前記乱数の値に基づいて、前記可変表示実行手段より実行される可変表示を実行する時間を定める可変表示時間決定手段と、
前記可変表示時間決定手段により決定された可変表示時間の経過後に前記当否判定手段による当否判定結果に応じた態様で可変表示を停止する可変表示停止手段と、
前記可変表示の実行条件が充足していない場合であって、前記始動条件が成立したときに、前記乱数取得手段により取得された乱数を一時的に記憶し、前記可変表示の実行条件の充足により、一時的に記憶した中に第２特別図柄対応乱数がある場合は該第２特別図柄対応乱数を第１特別図柄対応乱数よりも優先的に判定して可変表示を実行し、一時的に記憶した中に第２特別図柄対応乱数がない場合は第１特別図柄対応乱数を判定して可変表示を実行する、取得乱数一時記憶手段及び第２特別図柄優先消化手段と、
前記当否判定手段による判定が特定の結果である場合に、前記可変入賞装置を作動させる当選遊技を実行する当選遊技実行手段と、
前記取得される乱数に基づいて、複数の所定の装飾識別情報を可変表示する装飾識別情報可変表示手段と、
前記装飾識別情報可変表示手段における可変表示を制御する装飾識別情報可変表示制御手段を備えた弾球遊技機であって、
前記乱数取得手段によって取得された所定の乱数について、前記当否判定手段による当否判定結果に基づいた事前作動を、前記可変表示実行手段による可変表示の実行以前に、前記装飾識別情報可変表示手段において行うかどうかを決定する事前作動可否決定手段を備え、
前記当選遊技実行手段は、
前記当否判定手段による判定が前記特定の結果のうち、第１の特定の結果である場合に、第１当選遊技を実行する第１当選遊技実行手段と、
前記当否判定手段による判定が前記特定の結果のうち、第２の特定の結果である場合に、当選遊技の時間が第１当選遊技の時間未満であり、前記可変入賞装置への入球が殆ど期待できない第２当選遊技を実行する第２当選遊技実行手段と、
を含み、
前記装飾識別情報可変表示制御手段は、前記当否判定手段による判定が前記特定の結果以外である場合に所定の確率でハズレに対応した第１変動パターンにより前記装飾識別情報の可変表示を実行し、前記当否判定手段による判定が前記第１の特定の結果である場合に所定の確率で当りに対応した第２変動パターンにより前記装飾識別情報の可変表示を実行する制御を行い、
前記第１変動パターンは、第２変動パターンによる停止結果の一部となる特殊パターンを表示後、残部を第２変動パターンによる停止結果と異なるように停止するパターンであるとともに、
前記第２変動パターンは、前記特殊パターンを表示後、残部を停止するパターンであり、
前記装飾識別情報可変表示制御手段はさらに、前記当否判定手段による判定が前記第２の特定の結果である場合に、前記特殊パターンを表示後、残部を第２変動パターンによる停止結果と異なるように停止する第３変動パターンを所定の確率で実行し、
前記事前作動可否決定手段は、前記始動条件成立時に、前記乱数取得手段により取得された乱数が前記第１の特定の結果あるいは前記第２の特定の結果を示し、この特定の結果が第２特別図柄対応乱数に基づく場合は前記取得乱数一時記憶手段に記憶している先行する第２特別図柄対応乱数を含めた複数の第２特別図柄対応乱数に基づく連続予告とする事前作動を所定の確率で可とし、前記特定の結果が第１特別図柄対応乱数に基づく場合は前記取得乱数一時記憶手段に記憶している先行する第１特別図柄対応乱数及び第２特別図柄対応乱数を含めた複数の乱数に基づく連続予告とする事前作動を所定の確率で可とし、
前記装飾識別情報可変表示制御手段は、前記事前作動が可とされた場合には、前記第１の特定の結果あるいは前記第２の特定の結果を示す乱数に基づく前記装飾識別情報の変動以前に行われる、前記装飾識別情報の変動の一部あるいは全部を、通常とは異なる変動パターンである連続予告に対応させた特殊変動パターンとする制御を行うことを特徴とする弾球遊技機。
【請求項２】
前記第１の特定の結果は、前記可変入賞装置を遊技球の入球が容易な状態に複数回繰り返し駆動する連続作動当りであり、
前記第２の特定の結果は、前記可変入賞装置を入球が容易な状態に１回のみ駆動する単作動当りであり、
前記装飾識別情報可変表示制御手段は、前記当否判定手段により前記単作動当りが判定された場合には、前記装飾識別情報の可変表示の停止を、前記可変入賞装置の駆動より後に行うように制御する請求項１記載の弾球遊技機。
【請求項３】
前記連続作動当りには、前記可変入賞装置を入球が得られる状態で駆動する通常連続作動当りと、前記可変入賞装置を入球が殆ど得られない態様で駆動するが、以降に前記当否判定手段により連続作動当りが判定される確率を上昇させる特殊連続作動当りを含み、
前記単作動当りには、前記特殊連続作動当りと見かけ上ほぼ同態様で駆動する疑似特殊連続作動当りと、前記特殊連続作動当りとは異なる態様で駆動するが、前記装飾識別情報の可変表示として前記第３変動パターンを実行する通常単作動当りを含み、
前記装飾識別情報可変表示手段は、前記特殊連続作動当りと前記疑似特殊連続作動当りが判定されている場合には、ほぼ同一の変動パターンを実行し、
前記事前作動可否決定手段は、前記特殊連続作動当り及び疑似連続作動当りに対応する乱数に対しては事前作動を行わない制御を行う請求項２記載の弾球遊技機。
【発明の詳細な説明】
【技術分野】
【０００１】
本発明は、パチンコ遊技機、アレンジボール遊技機、じゃん球遊技機等の弾球遊技機に関する。
【背景技術】
【０００２】
従来、弾球遊技機などの遊技機、特にパチンコ遊技機においては、発射された遊技球が所定の領域（始動口）を通過したことに応じて乱数を取得し、この乱数が所定値であるかどうかを判定する抽選を行い、この抽選の結果に基づいて遊技者に有利な特別遊技（大当り遊技）を起生するものが一般的である。
【０００３】
パチンコ遊技機の盤面中央付近には、液晶表示装置、回胴回転装置、ＥＬ等からなる演出図柄表示領域が設けられており、例えば３つの数字の組合せで抽選結果を表示するなどの演出を行っている。通常は、抽選結果が当りとなるときは、この数字の組合せが「７−７−７」などの揃い図柄で停止するようになっている。特に、これらの数字の組合せのうち、残り一つを残して停止した場合に、前記組合せ「７−７−７」のうちの一部を形成している場合には、残りの１つの数字の変動を低速で行ったり、変動を行っている数字を拡大したりする等のいわゆる「リーチ演出」を行うものがある。
【０００４】
この「リーチ演出」は、抽選結果が当りとなる場合にもハズレとなる場合にも一定の確率で行われるようになっている。このことにより、ハズレの抽選結果の場合にも、遊技者に抽選結果に対する期待感を抱かせうるようになっている。
【０００５】
一方、パチンコ機は、最大４個までの入球を記憶する保留玉機能を搭載しているものが一般的であり、これらの入球の記憶は、取得される乱数の形で記憶される。この取得した乱数が所定値の場合、つまり当りの値の場合、現在変動中の変動から以降の変動を連続した一連の演出とする、保留内連続予告を行うものが特許文献１の如く知られている。
【特許文献１】特開２００５−１６０６１９号公報
【発明の開示】
【発明が解決しようとする課題】
【０００６】
これらの保留内連続予告について、抽選結果が当りの場合のみに行う場合は、これらの予告が非常に頻度が少なくなってしまい、演出効果が好ましく得られない。従来の場合、連続予告フラグが成立している場合の入球については、その保留球数分の連続予告を行うものがあるが、この場合は、連続予告の最終変動として、一定確率でリーチ演出を行うという構成が実現できず、例えば、長い連続変動が行われたにも関わらず、その最終変動が短時間のハズレ変動となってしまう場合があり、連続予告に対する期待感を一定に保つことができない。
【０００７】
本発明はこれら従来の課題に鑑みて成されたものであり、保留内連続予告についての期待感を保つとともに、その演出効果も高めた弾球遊技機を提供せんとするものである。
【課題を解決するための手段】
【０００８】
上記の課題を解決する為に、本発明の構成を以下のものとする。
【０００９】
本発明の請求項１に係る発明は、
複数の識別情報を可変表示可能な可変表示手段と、
遊技球の遊技領域中に設ける始動入賞口と電動チューリップを備える役物始動口とから成る所定領域への遊技球の通過を検出する入球検出手段と、
前記入球検出手段による検出を前記可変表示を開始するための始動条件の成立として判定する始動条件判定手段と、
前記始動条件判定手段により始動条件の成立が判定された場合に、後記する当選遊技の実行中ではないことを含む予め定められている可変表示の実行条件が充足されていることを条件に、前記可変表示手段による可変表示を実行する可変表示実行手段と、
前記遊技領域中に設けられ、遊技球の入球が困難もしくは不能な状態から容易な状態への作動が可能であり、遊技球の入球により所定個数の遊技球を払い出す複数の遊技球が同時に入球可能な大入賞口から成る可変入賞装置と、
前記始動入賞口に対する始動条件の成立に基づいて第１特別図柄抽選を行うための第１特別図柄対応乱数を取得し、前記役物始動口に対する始動条件の成立に基づいて前記第１特別図柄抽選よりも出玉の期待値を大きくした第２特別図柄抽選を行うための第２特別図柄対応乱数を取得する乱数取得手段と、
前記乱数取得手段によって取得された第１特別図柄対応乱数と第２特別図柄対応乱数のそれぞれについての当否及び当選内容を判定する当否判定手段と、
前記乱数の値に基づいて、前記可変表示実行手段より実行される可変表示を実行する時間を定める可変表示時間決定手段と、
前記可変表示時間決定手段により決定された可変表示時間の経過後に前記当否判定手段による当否判定結果に応じた態様で可変表示を停止する可変表示停止手段と、
前記可変表示の実行条件が充足していない場合であって、前記始動条件が成立したときに、前記乱数取得手段により取得された乱数を一時的に記憶し、前記可変表示の実行条件の充足により、一時的に記憶した中に第２特別図柄対応乱数がある場合は該第２特別図柄対応乱数を第１特別図柄対応乱数よりも優先的に判定して可変表示を実行し、一時的に記憶した中に第２特別図柄対応乱数がない場合は第１特別図柄対応乱数を判定して可変表示を実行する、取得乱数一時記憶手段及び第２特別図柄優先消化手段と、
前記当否判定手段による判定が特定の結果である場合に、前記可変入賞装置を作動させる当選遊技を実行する当選遊技実行手段と、
前記取得される乱数に基づいて、複数の所定の装飾識別情報を可変表示する装飾識別情報可変表示手段と、
前記装飾識別情報可変表示手段における可変表示を制御する装飾識別情報可変表示制御手段を備えた弾球遊技機であって、
前記乱数取得手段によって取得された所定の乱数について、前記当否判定手段による当否判定結果に基づいた事前作動を、前記可変表示実行手段による可変表示の実行以前に、前記装飾識別情報可変表示手段において行うかどうかを決定する事前作動可否決定手段を備え、
前記当選遊技実行手段は、
前記当否判定手段による判定が前記特定の結果のうち、第１の特定の結果である場合に、第１当選遊技を実行する第１当選遊技実行手段と、
前記当否判定手段による判定が前記特定の結果のうち、第２の特定の結果である場合に、当選遊技の時間が第１当選遊技の時間未満であり、前記可変入賞装置への入球が殆ど期待できない第２当選遊技を実行する第２当選遊技実行手段と、
を含み、
前記装飾識別情報可変表示制御手段は、前記当否判定手段による判定が前記特定の結果以外である場合に所定の確率でハズレに対応した第１変動パターンにより前記装飾識別情報の可変表示を実行し、前記当否判定手段による判定が前記第１の特定の結果である場合に所定の確率で当りに対応した第２変動パターンにより前記装飾識別情報の可変表示を実行する制御を行い、
前記第１変動パターンは、第２変動パターンによる停止結果の一部となる特殊パターンを表示後、残部を第２変動パターンによる停止結果と異なるように停止するパターンであるとともに、
前記第２変動パターンは、前記特殊パターンを表示後、残部を停止するパターンであり、
前記装飾識別情報可変表示制御手段はさらに、前記当否判定手段による判定が前記第２の特定の結果である場合に、前記特殊パターンを表示後、残部を第２変動パターンによる停止結果と異なるように停止する第３変動パターンを所定の確率で実行し、
前記事前作動可否決定手段は、前記始動条件成立時に、前記乱数取得手段により取得された乱数が前記第１の特定の結果あるいは前記第２の特定の結果を示し、この特定の結果が第２特別図柄対応乱数に基づく場合は前記取得乱数一時記憶手段に記憶している先行する第２特別図柄対応乱数を含めた複数の第２特別図柄対応乱数に基づく連続予告とする事前作動を所定の確率で可とし、前記特定の結果が第１特別図柄対応乱数に基づく場合は前記取得乱数一時記憶手段に記憶している先行する第１特別図柄対応乱数及び第２特別図柄対応乱数を含めた複数の乱数に基づく連続予告とする事前作動を所定の確率で可とし、
前記装飾識別情報可変表示制御手段は、前記事前作動が可とされた場合には、前記第１の特定の結果あるいは前記第２の特定の結果を示す乱数に基づく前記装飾識別情報の変動以前に行われる、前記装飾識別情報の変動の一部あるいは全部を、通常とは異なる変動パターンである連続予告に対応させた特殊変動パターンとする制御を行うことを特徴とする弾球遊技機
とする。 
【００１０】
第２当選遊技とは、第１当選遊技の時間未満であり、前記可変入賞装置への入球が殆ど期待できない当選遊技であり、例えば第１当選遊技として１６回の大入賞口の開放を行う１６Ｒ大当りが設定されている場合には、２回の短時間の大入賞口の開放を行う２Ｒ突然確変大当り等が該当するものである。また、第１当選遊技として、１６Ｒ大当り、２Ｒ大当り等が設定されている場合には、２Ｒ大当りよりもさらに短時間の当選遊技である小当り（単作動当り）等が該当するものである。この第２当選遊技として設定するものとして、当選遊技ではあるが、実際の出玉上の利益が得にくいものを設定する事が構成上好ましい。
【００１１】
可変表示手段とは、抽選結果を表示するための表示を行うものであり、後述の特別図柄表示部や普通図柄表示部等を含むものである。装飾識別情報とは、液晶やＥＬの表示装置において、明示態様で変動表示を行うものを指す。例えば、可変表示手段の他に抽選結果に関する表示を行うものがある場合、これらのうちで最も明確に表示を行うものを指すものである。つまり、液晶表示部に抽選結果に関する表示を行う部分が複数あり、一方の変動表示が小さく行われて可変表示手段の変動と同期して変動し、他方の変動表示が大きく（例えば前述の一方の変動表示の大きさの５倍以上）行われて可変表示手段の変動と同期せずに変動する場合、この大きく行われる変動表示が装飾識別情報として定義されるものである。事前作動とは、取得乱数に基づいて変動表示を行う以前の段階で、その取得乱数に関する報知を行う作動、例えば特殊パターンの表示を行う等の制御の事を指し、液晶表示部における変動態様や、可動物の駆動などを含めた意味である。
【００１２】
特殊パターンとは、例えば複数の装飾識別情報のうち、１つを残して揃えて停止するリーチパターンを示す。これらの構成によれば、未変動の乱数値（保留球）が存在する場合に、その中に大当りとなる乱数値が存在する可能性を、特殊変動パターンにて告知する事が可能になり、遊技者の期待感を煽ることができる。また、特殊変動パターンが連続した場合に、その後に行われる変動が特殊パターン、すなわちリーチパターンで行われる可能性が大きくなるため、特殊変動パターンの連続、すなわち連続予告に対する期待感を向上させることが可能になる。
【００１３】
さらに、本発明の請求項２に係る発明は、請求項１記載の弾球遊技機において、
前記第１の特定の結果は、前記可変入賞装置を遊技球の入球が容易な状態に複数回繰り返し駆動する連続作動当りであり、
前記第２の特定の結果は、前記可変入賞装置を入球が容易な状態に１回のみ駆動する単作動当りであり、
前記装飾識別情報可変表示制御手段は、前記当否判定手段により前記単作動当りが判定された場合には、前記装飾識別情報の可変表示の停止を、前記可変入賞装置の駆動より後に行うように制御する
ものとする。
【００１４】
これらの構成によれば、単作動当りによる可変入賞装置の駆動に遊技者が気づかないうちに駆動を終えることができ、単作動当りの確率を増加させたとしても、徒に遊技者に有利となることはなく、弾球遊技機の収支のバランスを適切に保つことができる。
【００１５】
さらに、本発明の請求項３に係る発明は、請求項２記載の弾球遊技機において、
前記連続作動当りには、前記可変入賞装置を入球が得られる状態で駆動する通常連続作動当りと、前記可変入賞装置を入球が殆ど得られない態様で駆動するが、以降に前記当否判定手段により連続作動当りが判定される確率を上昇させる特殊連続作動当りを含み、
前記単作動当りには、前記特殊連続作動当りと見かけ上ほぼ同態様で駆動する疑似特殊連続作動当りと、前記特殊連続作動当りとは異なる態様で駆動するが、前記装飾識別情報の可変表示として前記第３変動パターンを実行する通常単作動当りを含み、
前記装飾識別情報可変表示手段は、前記特殊連続作動当りと前記疑似特殊連続作動当りが判定されている場合には、ほぼ同一の変動パターンを実行し、
前記事前作動可否決定手段は、前記特殊連続作動当り及び疑似連続作動当りに対応する乱数に対しては事前作動を行わない制御を行う
ものとする。 
【００１６】
これらの構成によれば、特殊変動パターンを伴う事前作動が行われた場合に、その事前作動のきっかけとなる大当りは必ず出玉を伴う大当り（連続作動当り）となるため、事前作動に対する信頼感を保つことができる。同時に、事前作動を伴わない、見かけ上装飾識別情報の変動に特殊パターン（リーチパターン）を含まない大当りである特殊連続作動当りに関しては、事前作動を行わないようにしたため、遊技者に対して意外感を与えることもでき、遊技の興趣を高めることができる。
【発明を実施するための最良の形態】
【００１７】
以下、本発明にかかる弾球遊技機の一例として、パチンコ遊技機１を実施形態として説明する。
【００１８】
図１はこの発明に係る弾球遊技機の一例として示す実施形態のパチンコ遊技機１の外観構成を示す正面図である。パチンコ遊技機１は、ベース枠２に開閉自在に取り付けられた正面扉３を有している。正面扉３には、略円形の窓４が形成されている。窓４には、例えばガラス板などの透明板が嵌め込まれており、この透明板を介して、その奥側に設けられた遊技盤５を視認できる。
【００１９】
正面扉３の下部には、遊技媒体である遊技球を貯留するための球受容器（球受け皿）６が配置されている。球受容器６に貯留された遊技球は、パチンコ遊技機１の内部に設けられた発射装置（図示せず）に１球ずつ供給される。球受容器６の右側にはハンドル７が回動可能に設けられており、遊技者がこのハンドル７を握って、回動軸の軸線回りに回転させることにより、発射装置から遊技盤５に向かって遊技球が所定時間間隔毎に１つずつ自動的に発射される。
【００２０】
遊技盤５の下部には操作手段として作動する押しボタン８，９，１０が配置されている。押しボタン８，１０は、大当たり遊技中に、例えば後述する液晶表示部１４で表示される演出に遊技者自らがいずれかを操作することにより、例えば続きの演出を選択する等に使用される。また、遊技盤５の下部の左右には、効果音を報知するためのスピーカ１１，１２が設けられている。
【００２１】
図２に、本実施形態のパチンコ遊技機１の遊技盤５の構成を示している。遊技盤５の周縁には、発射装置から発射された遊技球を遊技盤５の左側上部に導くための略円弧状のガイドレール１３が配置されている。遊技盤５には、多数本の障害釘Dが植設されており、ガイドレール１３に沿って遊技盤５の左側上部から上方に放たれた遊技球は、遊技盤５の盤面に沿って多数本の障害釘に衝突しつつ、間を通って下方へと落下していく。この遊技盤５により遊技領域が形成されている。
【００２２】
遊技盤５のほぼ中央には、大型の練物１４が配置されており、練物１４のほぼ中央に可変表示装置の一例の大型の液晶表示部１５が配置されている。液晶表示部１５は、リーチ演出を含む図柄変動を表示する（図２では、図柄を省略している）。図柄には、１，２，３…などの数字を使用するが、アルファベットなどの文字やキャラクタ絵柄などを使用することができる。なお、液晶表示部１５に代えて、ブラウン管やＥＬ、プラズマディスプレイなどの可変表示装置、あるいはリールやベルトなどの可動型の可変表示装置を用いてもよい。液晶表示部１５は、取得される乱数に基づいて、複数の所定の装飾識別情報を可変表示する装飾識別情報可変表示手段として働くものである。装飾識別情報とは、液晶やＥＬの表示装置において、明示態様で変動表示を行うものを指す。例えば、可変表示手段の他に抽選結果に関する表示を行うものがある場合、これらのうちで最も明確に表示を行うものを指すものである。つまり、液晶表示部に抽選結果に関する表示を行う部分が複数あり、一方の変動表示が小さく行われて可変表示手段の変動と同期して変動し、他方の変動表示が大きく（例えば前述の一方の変動表示の大きさの５倍以上）行われて可変表示手段の変動と同期せずに変動する場合、この大きく行われる変動表示が装飾識別情報として定義されるものである。
【００２３】
練物１４上の液晶表示部１５の周囲部分には、盤面から突出して鎧部１６が形成されており、盤面に打ち出された遊技球はこの鎧部１６の外縁に衝突しつつ流下していく。鎧部１６の表面には、遊技機のテーマ等に応じて各種意匠等が表されている。鎧部１６の内部にはランプ等の照明手段も備えており、液晶表示部１５における演出と連動して演出を行うようになっている。また、練物１４には、遊技球が転動する転動面２１７が設けられている。この転動面１７には、導入口１８から流入した遊技球が一定時間転動した後、放出口１９から下方に落下するようになっている。
【００２４】
また、図２には示していないが、練物１４において、液晶表示部１５と鎧部１６の間にある内部空間には、可動物ＭＯが配置されている。この可動物ＭＯは、モータあるいはソレノイドなどで駆動されるようになっており、特定の演出の時のみ液晶表示部１５の前面に出現するようになっている。
【００２５】
練物１４に設けられる放出口１９の下方には、遊技球が入球可能で、入球により特別図柄抽選（大当り抽選）の契機となる始動入賞口２０および役物始動口２１が配置されている。始動入賞口２０は、第１特別図柄の抽選を行うための第１始動口、役物始動口２１は、第２特別図柄の抽選を行うための第２始動口として設けられている。役物始動口２１は、可動片２２（２２ａ、２２ｂ）からなる電動チューリップ（いわゆる、電チュー）を備えてなる。通常時は、可動片２２が起立状態にあることで互いに近接して窄められ、役物始動口２１が閉状態であり遊技球が進入し難くなっている。なお、可動翼片２２が傾倒状態に有る場合は、図において点線で示したようになり、役物始動口２１への遊技球の侵入が容易となる。練物１４の左隣には入球により普通図柄抽選の契機となる特定領域である普通図柄始動ゲートＧＴが設けられている。
【００２６】
役物始動口２１の下方には、例えば左右に長い長方形状に形成され、複数個の遊技球が同時に入球可能な特別入賞口（以下、大入賞口）２３が配置されている。この大入賞口２３に関連して、大賞口２３に遊技球を案内する開状態（入球が容易な第２状態）および大入賞口２３に遊技球が入るのを阻止する閉状態（入球が困難な第１状態）に開閉可能な開閉板が設けられている。すなわち、開閉板は、遊技盤５の盤面に沿った状態で大入賞口２３を閉塞して遊技球が入るのを阻止することができ、また、この状態から、大賞口２３の下端縁に沿って配置された回動軸（図示せず）を中心に手前側に倒伏することにより、大入賞口２３を開放して、落下してくる遊技球を大入賞口２３内に導き入れることができる。この大入賞口２３に設けられる開閉板の駆動は、リンク機構等を介して接続されたモータやソレノイド等の駆動源によって行われ、種々の開閉態様で動作可能となっている。また、大入賞口２２３の下部には、入賞しなかった遊技球を盤面から回収するためのアウト口２４が設けられている。遊技盤５上には流下してくる遊技球を振り分けるための所定個数の風車ＷＭが設けられている。大入賞口２３は、遊技球の入球が困難もしくは不能な状態から容易な状態への作動が可能であり、遊技球の入球により所定個数の遊技球を払い出す可変入賞装置として働くものである。また、本実施形態では、開閉板を用いた型式の特別入賞口（大入賞口）を例として示しているが、これに代えて、複数の可動片２２を用いた型式（電チュー）などであってもよい。
【００２７】
また、盤面の右側部には、図柄表示領域ＤＧが設置されている。この図柄表示領域ＤＧは、遊技球の特定領域通過による抽選の結果（第１特別図柄抽選、第２特別図柄抽選、普通図柄抽選）を示すべく複数の表示器（ランプなど）によって構成されている。また、遊技盤５の所定位置には所定個数の普通入賞口Ｎ１〜Ｎ４が設けられている。
【００２８】
図３に、図柄表示領域ＤＧの構成を示している。図柄表示領域ＤＧの上部には、第１特別図柄表示部ＳＦ、第２特別図柄表示部ＳＳが設けられている。第１特別図柄表示部ＳＦと第２特別図柄表示部ＳＦは、それぞれ例えば識別情報を変動表示可能な７セグメント表示器からなる。また、その周囲には、ランプＦ１,Ｆ２からなる第１特別図柄保留表示部ＬＦ、ランプＳ１，Ｓ２からなる第２特別図柄保留表示部ＬＳを配置している。
【００２９】
図柄表示領域ＤＧの中央部には、ランプＮＲ，ＮＬからなる普通図柄表示部ＮＤ、ランプＭ１，Ｍ２からなる普通図柄保留表示部ＭＤを配している。図柄表示領域ＤＧの下部には、ランプＨ１，Ｈ２，Ｈ３，Ｈ４からなる第１特別図柄当り種別表示部ＨＤ、ランプＧ１，Ｇ２，Ｇ３，Ｇ４からなる第２特別図柄当り種別表示部ＧＤを配している。
【００３０】
第１特別図柄表示部ＳＦ，第２特別図柄表示部ＳＳは、それぞれの特別図柄抽選の結果をセグメント表示するためのものである。この特別図表示部では、乱数を判定した事に基づいて、所定時間（特別図柄変動時間）変動表示を行い、その後に抽選結果を表示する。第１特別図柄保留表示部ＬＦ、第２特別図柄保留表示部ＬＳは、現在変動中（判定中）の特別図柄抽選結果に加えて遊技機がそれぞれの特別図柄について４個まで電気的に記憶している遊技球数（始動記憶数）をその点灯状態にて表示している。普通図柄表示部ＮＤは、普通図柄抽選の結果を点灯状態で表示するためのものである。普通図柄表示部ＮＤでは、乱数を判定した事に基づいて、所定時間（普通図柄変動時間）変動表示を行い、その後に抽選結果を表示する。普通図柄保留表示部ＭＤは、現在変動中の普通図柄抽選結果に加えて遊技機が最大４個まで電気的に記憶している遊技球数（始動記憶数）をその点灯状態にて表示している。大当り種別表示部ＨＤ，ＧＤは、抽選結果が大当りとなった場合に、大入賞口２３の開放回数等の大当りの種別を示すものである。第１特別図柄表示部ＳＦ、第２特別図柄表示部ＳＳは、始動条件の成立によって複数の識別情報を可変表示する可変表示手段として働くものであり、当否判定結果を示す複数の表示態様（セグメント表示態様）、つまり識別情報を持つものである。
【００３１】
始動入賞口２０または役物始動口２１に遊技球が入ると、予め定める個数の賞球（遊技球）が遊技者に付与されるとともに、遊技者が特別遊技（以下、大当たり遊技と記載するときあり）を実行できるか否かを決定するための大当たり抽選及び大当たり遊技の内容を決定する特別図柄抽選が行われる。大当たり抽選の抽選結果は、特別図柄表示部ＳＦ、ＳＳの図柄で表示される。始動口２０及び役物始動口２１は、入球によって抽選を行う所定領域に該当するものである。
【００３２】
液晶表示部１５には３つの演出図柄がスクロールされるように表示される。液晶表示部１５の表示は、始動入賞口２０または役物始動口２１に遊技球が入るのに応答して変動を開始し、背景画像の変化やキャラクタの登場や演出図柄の変動等が表示され、所定時間が経過した後、スクロールしている３つの演出図柄が順に停止されていく。大当たりの抽選結果は、遊技者に分かりやすいように３つの図柄の表示が停止したときに、液晶表示部１５に表示される図柄の組合せによっても表示される。
【００３３】
特別入賞口２３への遊技球の入球に対しては、予め定める個数の賞球が、図示しない賞球払出装置により賞球として、図１に示した球受容器６に払い出される。大当たり遊技に突入すると、開閉板が開状態となり、容易に遊技球が特別入賞口２３に入るので、遊技者は多数個の賞球を獲得することができる。
【００３４】
次に、本発明のパチンコ機１が行う当選遊技について説明する。本発明のパチンコ機は、当選遊技として、単作動当り（一般的には小当りと呼ばれる）と、連続作動当り（一般的に大当りと呼ばれる）を実行する機能を有している。これらの単作動当りと、連続作動当りは、特別図柄抽選において所定の確率で当選するようになっている。
【００３５】
単作動当りとは、遊技規則でいうところの、『条件装置（役物連続作動装置）が作動せず、かつ、第一種特別電動役物が作動することとなる』当りであり、前述の特別入賞口（大入賞口）２３を一回のみ駆動するものである。この単作動当りによる大入賞口の駆動を以下、小当り遊技と呼ぶことにする。この小当り遊技における駆動は、一回の作動信号で行われるものの、開放回数は一回とは限らない。例えば、０．５秒開放−１秒閉鎖−０．５秒開放等のパターンを一回の駆動とするパターン（この場合は２回開放）も含まれるものである。
【００３６】
連続作動当りとは、遊技規則でいうところの、『条件装置（役物連続作動装置）が作動することとなる』当りであり、前述の特別入賞口（大入賞口）２３を複数回駆動するものである。この連続作動当りによる大入賞口の駆動は、前述した如く、一般的に大当り遊技（特別遊技）と称される。
【００３７】
図４に、主制御部２００における抽選結果に対する液晶表示部１５における演出の選択率を示している。抽選結果が大当りの場合には、図４（ａ）に示した割合で演出が選択されて実行される。これらの選択確率は、大当り乱数Ｒ１、大当り図柄乱数Ｒ２、リーチ乱数Ｒ３、変動パターン乱数Ｒ４の乱数値の振り分けから演算された値を示している。リーチＡ当り演出〜リーチＤ当り演出は、後述するように、３つの装飾図柄のうち２つを揃い図柄で停止させた後、残り１つの変動及びキャラクタ等のアニメーション表示などを含んだいわゆるリーチ演出を行ったのち、揃い図柄「７−７−７」等で停止する演出である。この演出は、第２変動パターンの一例として示されるものであり、各種リーチ演出は、装飾識別情報の一部を第２変動パターンによる停止結果の一部となるように停止する特殊パターンとして示されるものである。なお、抽選結果が２Ｒ確変大当り（突然確変）の場合には、チャンス目停止演出が実行され、通常大当りの場合には、その他の当り演出が実行される。抽選結果がハズレの場合には、図４（ｂ）に示した割合で演出が選択されて実行される。リーチＡハズレ演出〜リーチＤハズレ演出は、後述するように、３つの装飾図柄のうち２つを揃い図柄で停止させた後、残り１つの変動及びキャラクタ等のアニメーション表示などを含んだいわゆるリーチ演出を行ったのち、不揃い図柄で停止する演出である。この演出は、第１変動パターンの一例として示されるものである。抽選結果が小当りの場合には、時４（ｃ）で示した割合で演出が選択されて実行される。抽選結果が第１小当りの場合には、抽選結果がハズレの場合のリーチＡハズレ演出〜リーチＤハズレ演出とほぼ同様の演出が実行され、第２小当りの場合には、突然確変と同様のチャンス目停止演出が実行される。
【００３８】
図５に、本実施形態におけるパチンコ遊技機１の電気的なブロック構成を示す。図５において、制御部１００は、入力部からの各種信号入力に基づいて、各種処理を行い、出力部に対して各種制御出力を行うことによって、パチンコ遊技機１の動作を実現している。また、制御部１００は、パチンコ遊技機１全体としての基本機能の制御を行う主制御部１０１と、主制御部１０１からの信号に基づいて、各種演出機能の制御を行う副制御部１０２とに大きく区分される。主制御部１０１と、副制御部１０２とは、中継基板１０３を介して接続され、主制御部１０１から副制御部１０２に向かって１方向に信号が送信可能になっている。
【００３９】
主制御部１０１は特別図柄抽選に関する抽選機能を有する主制御基板２００と、主制御基板と相互通信可能に接続され、遊技媒体（遊技球）の払出等を制御する払出制御基板２１０を含んでなる。また、インタフェース（図示せず）を介して入力部と、ドライバ回路（図示せず）を介して出力部と接続される。副制御部１０２は、画像演出関連の制御を行う第１副制御基板２２０と、それ以外の音声選出等の演出制御を行う第２副制御基板２３０とを含んでなり、インタフェース（図示せず）を介して入力部と、ドライバ回路（図示せず）を介して出力部と接続される。
【００４０】
主制御基板２００は、パチンコ遊技機１における遊技の基本となる動作を制御するためのものであり、各種演算処理を行うことによって各構成の制御を統括的に行うＣＰＵ２０１や、遊技を制御するためのプログラムソフト等が記憶されたＲＯＭ２０２や、制御時に必要なデータが書き込まれるＲＡＭ２０３を含むマイクロコンピュータを搭載して構成されている。また、ＣＰＵ２０１には、乱数発生部（乱数発生手段）としての機能もある。
【００４１】
図示は省略しているが、主制御基板には特別図柄（特別図柄１及び２）に関する乱数を発生する乱数発生機能（乱数発生手段）を有する。この乱数発生手段により発生される乱数は、当否抽選の結果を定める大当り乱数Ｒ１、大当りになる場合に大当りの種別を定める大当り図柄乱数Ｒ２、ハズレとなる場合にリーチの有無を定めるリーチ乱数Ｒ３、変動時間等の変動パターンを定める変動パターン乱数Ｒ４を含んでいる。このうち、大当り乱数Ｒ１は、ＣＰＵ２０１の乱数発生機能を用いたハード乱数であるが、Ｒ２〜Ｒ４に関しては、ＣＰＵ２０１の指令に基づいてＲＯＭ２０２の乱数発生プログラムにより発生されるソフト乱数が用いられる。よって、本実施形態において、特別図柄に関する乱数を発生する乱数発生手段は、ＣＰＵ２０１およびＲＯＭ２０２による乱数発生機能により実現されている。なお、本発明の乱数発生形態はこれに限らず、全乱数Ｒ１〜Ｒ４をＣＰＵのハード乱数を用いた形態や、その他の形態が任意に用いることができるものとする。また、Ｒ１〜Ｒ４は、互いに更新周期が異なるように設定されている事が好ましい。
【００４２】
主制御基板２００には、始動口２０に設けられて遊技球の入球を検知する始動口センサ３０、役物始動口２１に設けられて遊技球の入球を検知する役物始動口センサ３１、ゲートＧＴに対応するゲートセンサ３２、特別入賞口（大入賞口）２３内に設けられて遊技球の入球を検知する大入賞口センサ３３、複数の普通入賞口Ｎ１〜Ｎ４のそれぞれに設けられる普通入賞口センサ３４ａ〜３４ｄからの信号がインタフェース（図示せず）を介して入力される。また、図示していないが、セキュリティ関連のセンサの信号、例えば扉の開放状態を検知する扉開放センサ、遊技機本体の振動を検出する振動センサ、電波を検出する電波センサ、磁力を検出すう磁力センサなどの信号も主制御基板２００に向けて入力される。
【００４３】
主制御基板２００は、入力部から入力された信号に基づいて、コマンド及びデータを中継基板１０３を介して副制御部１０２に向かって一方向に出力する。また、払出制御基板と相互に情報通信を行う。この事によって、払出制御基板２０１による、各入賞口に対応した賞球の払出制御を可能にしている。同時に、ドライバ回路（図示せず）を介して、出力部に含まれる第１特別図柄表示部ＳＦ、第２特別図柄表示部ＳＳ、普通図柄表示部ＮＤ、第１特別図柄保留表示部ＬＦ、第２特別図柄保留表示部ＬＳ、普通図柄保留表示部ＭＤ、大当り種別表示部ＧＤ，ＨＤ、普通電動役物駆動部３６、大入賞口駆動部３７に制御信号を与える。普通電動役物駆動部３６は、ソレノイドやモータ等からなり、図２に示した可動片２２の開閉駆動を行う。大入賞口駆動部３７は、ソレノイドやモータ等からなり、大入賞口２３の開閉板の開閉駆動を行う。
【００４４】
主制御基板２００のＲＯＭ２０２には、保留内連続演出の契機となる、先読みコマンドを発生するための先読みコマンド発生部３００と、第２特別図柄の変動が優先される場合に、この旨を入賞時に副制御部に送信するための割込コマンド発生部３０１と、第１特別図柄・第２特別図柄の抽選結果を判定するための特別図柄判定テーブル３０２と、当選遊技（後述の大当りあるいは小当り）を行う場合の大入賞口２３の開放を行うための大入賞口開放プログラム３０３と、大入賞口２３の開放パターンを記憶した大入賞口開放パターンデータ記憶部３０４とが記憶されている。大入賞口開放パターンデータ記憶部３０４には、大入賞口を開放作動させるための作動信号パターン及び開放信号パターンが当り種別毎に記憶されており、これらを読み出して開放動作を実行するようになっている。
【００４５】
主制御基板２００のＲＡＭ２０３には、始動口センサ３０あるいは役物始動口センサ３１の検出に基づいて取得した乱数を一時的に記憶する保留乱数一時記憶部３０５、副制御部１０２に出力するコマンドを一時的に記憶するコマンド一時記憶部３０６が設けられている。
【００４６】
払出制御基板２１０は、パチンコ遊技機１における遊技球の払い出し動作を制御するためのものであり、ＣＰＵ２１１や、払出動作を制御するプログラムソフト等が記憶されたＲＯＭ２１２や、制御時に必要なデータが書き込まれるＲＡＭ２１３を含むマイクロコンピュータを搭載して構成されている。
【００４７】
払出制御基板２１０には、ドライバ回路（図示せず）を介して賞球払出装置３５が接続されており、この賞球払出装置３５に制御信号を与える。払出制御基板２１０は、主制御基板２００に入力される各種センサ信号の情報を主制御基板２００と相互通信することによって、これらの信号に基づいて賞球払出装置３５を制御するようになっている。賞球払出装置３５は、例えばステッピングモータに軸支された回転翼（スプロケット）を球流下路に臨ませた構造となっており、これらの制御信号に基づいてスプロケットをモータ駆動して回転させることにより、所定個数の遊技球を払い出す。このスプロケットの回転回数により、所定個数ずつ遊技球を払い出すことができるようになっており、この回転回数の制御を行う為のプログラムが払出制御基板のＲＯＭ２１２に記憶されている。
【００４８】
第１副制御基板２２０は、ドライバ回路（図示せず）を介して液晶表示部１５の表示制御を行うものであり、演出表示実行手段として働くＣＰＵ２２１と、ＲＯＭ２２２と、ＲＡＭ２２３とを含むマイクロコンピュータで構成されている。また、第１副制御基板２２０は、ドライバ回路（図示せず）を介して可動物駆動部３８と接続されている。可動物駆動部３８は、液晶表示部１５と鎧部１６の間にある内部空間に配置された可動物ＭＯの駆動を行うものである。
【００４９】
ＣＰＵ２２１は、ＣＰＵ２０１からの抽選結果に応じたコマンド送信を受けて、多彩な演出を行う。例えば、ＣＰＵ２２１は、大当り遊技中、ＣＰＵ２０１が実行する大入賞口２３の開放制御に応じた演出画像を液晶表示部１５に画像表示する。同時に、液晶表示部１５の演出が、可動物ＭＯの駆動を伴うものであった場合には、可動物駆動部３８に駆動信号を送信する。第１副制御基板２２０には、インタフェース（図示せず）を介して、入力部の左押ボタン８、中押ボタン９、右押ボタン１０に各々設けられたセンサからセンサ信号が与えられる。また、第１副制御基板２２０には、双方向でデータを送受信する第２副制御基板２３０が接続されている。
【００５０】
第１副制御部２２０のＲＯＭ２２２には、リーチ演出のパターンを記憶したリーチパターン記憶部４００と、保留内連続予告のパターンを制御する連続予告パターン制御プログラム４０１と、可動物ＭＯの駆動を制御する可動物制御プログラム４０２を有している。
【００５１】
第１副制御部２２０のＲＡＭ２２３には、主制御基板２００からの先読みコマンドの送信を受けて先読みフラグの状態を一時的に記憶するための先読みフラグ一時記憶部４０３と、ＲＯＭ２２２の連続予告パターン制御プログラムによって行われる保留内連続予告の実行状態を一時的に記憶する連続予告状態一時記憶部４０４が設けられている。
【００５２】
第２副制御基板２３０は、ドライバ回路（図示せず）を介してスピーカ１１，１２と、装飾効果を演出するための各種演出用のランプ３９を制御するものであり、ＣＰＵ２３１と、ＲＯＭ２３２と、ＲＡＭ２３３とを含む、図示していないが、ＲＯＭ２３２には、大当り中に演出を行う楽曲などの音声データ等を記憶した音声データ記憶部、液晶表示部１５で行われる演出と同期して、ランプ３９を駆動するための発光パターンデータも内蔵されている。
【００５３】
図６（ａ）に、大当り乱数Ｒ１（０〜９９９）における当選値と、対応する賞の種別を表している。パチンコ遊技機１が通常状態（低確率時）の場合は、大当り（連続作動当り）当選値は９１〜１００の値に設定されており、１／１００で大当りとなる。一方、小当り（単作動当り）当選値は１０１〜１５０の値に設定されており、１／２０で小当りとなる。小当り当選値のうち、１０１〜１２５の値は、第１単作動当りに振り分けられており、１２６〜１５０の値は第２単作動当りに振り分けられている。つまり、１／２０で当選する小当りのうち、第１単作動当りと第２単作動当りが半分ずつの割合で当選するようになっている。それ以外の大当り乱数には、抽選結果としてはハズレが割り当てられている。一方、確率変動状態（高確率時）の場合には、大当り当選値は１〜１００の値に設定されており、１／１０で大当りとなる。
【００５４】
図６（ｂ）に、第１特別図柄抽選における、大当り図柄乱数Ｒ２（０〜９９）における乱数値と、対応する大当り内容を示している。大当り図柄乱数Ｒ２は、大当り乱数Ｒ１の乱数値が大当りを示す場合に、その大当り遊技内容を定めるものである。乱数値が１〜２５である場合は、大当りの種別は２Ｒ通常大当りとなる。この２Ｒ通常大当りは、入球が殆ど期待できない態様の開放（０．５秒）を２回行った後、時短状態に突入する当りである。図示していないが、全ての大当り発生後、変動回数１００回の時短状態を発生するようになっている。また、この２Ｒ通常大当りは、他の大当りとは異なり、装飾図柄を「７−７−７」等の揃い図柄で停止しない制御を行う。従って、残り１つの変動中の装飾図柄を残して揃い図柄で停止するリーチ状態は生じない。乱数値が２６〜５０である場合は、大当りの種別は２Ｒ確変大当りである。この２Ｒ確変大当りは、入球が殆ど期待できない態様の開放（０．５秒）を２回行った後、確率変動状態に移行する当りである。この２Ｒ確変大当りは、他の大当りとは異なり、装飾図柄を「７−７−７」等の揃い図柄で停止しない制御を行う。従って、残り１つの変動中の装飾図柄を残して揃い図柄で停止するリーチ状態は生じない。
【００５５】
Ｒ２の乱数値が５１〜７０の場合は７Ｒ通常大当り、７１〜９０の場合は７Ｒ確変大当り、９１〜９５の場合は１５Ｒ通常大当り、９６〜９９の場合は１５Ｒ確変大当りとなる。７Ｒ大当りは、入球を期待できる態様の開放（例えば３０秒）を７回行い、１５Ｒ大当りは、入球を期待できる態様の開放（例えば３０秒）を１５回行う。通常大当りの場合には、遊技状態は通常状態から移行しないが、確変大当りの場合は大当り遊技終了後確変状態に移行する。Ｒ２の乱数値が０の場合には、大当り種別は［１＋１５］Ｒ確変大当りとなる。この［１＋１５］Ｒ確変大当りは、入球が殆ど期待できない態様の開放（０．５秒）を１回行った後、入球を期待できる態様の開放（例えば３０秒）を１５回行い、その後確率変動状態に移行する当りである。
【００５６】
図６（ｃ）に、第２特別図柄抽選における、大当り図柄乱数（０〜９９）における乱数値と、対応する大当り内容を示している。第１特別図柄抽選におけるものとは、各大当り内容に振り分ける乱数値が異なっている。２Ｒ通常大当りに対応する乱数値は１〜５に、７Ｒ通常大当りに対応する乱数値は５１〜７０に、１５Ｒ通常大当りに対応する乱数値は６〜２５と９１〜９５に、２Ｒ確変大当りに対応する乱数値は２６〜３０に、７Ｒ確変大当りに対応する乱数値は７１〜９０に、１５Ｒ確変大当りに対応する乱数値は３１〜５０と９６〜９９に、［１＋１５］Ｒ確変大当りに対応する乱数値は０に設定されている。つまり、第１特別図柄抽選における２Ｒ通常大当りである６〜２５が１５Ｒ通常大当りに、２Ｒ確変大当りである３１〜５０が１５Ｒ確変大当りに振り分けられており、大当りをひいた場合の出玉（獲得賞球数）の期待値が第１特別図柄よりも大きくなっている。なお、本実施形態では、第１特別図柄抽選と第２特別図柄抽選において、同じ乱数（０〜９９）を用いる例を示しているが、別の乱数、あるいは更新周期の異なる乱数を用いて抽選してもよい。
【００５７】
図６（ｄ）に、低確率時（通常状態時）と、高確率時（確率変動状態）において、主制御部１０１で先読みコマンド（連続予告を発生するコマンド）を発生する条件を示している。低確率時の場合には、Ｒ１の値について９１≦Ｒ１≦１２５を満たし、なおかつＲ２の値について５１≦Ｒ２≦９９又はＲ２＝０を満たす場合に先読みコマンドを発生するようになっている。一方、高確率時には、Ｒ１の値について１≦Ｒ１≦１２５を満たし、なおかつＲ２の値について５１≦Ｒ２≦９９又はＲ２＝０を満たす場合に先読みコマンドを発生するようになっている。つまり、大当り種別が、揃い図柄の停止を伴わない突然時短及び突然確変となる１≦Ｒ２≦５０の場合、あるいは抽選結果がリーチハズレ変動を伴わない小当りである第２小当りとなる１２６≦Ｒ１≦１５０の場合には、先読みコマンドを発生せず、連続予告を行わないようになっている。また、先読みコマンドを発生する乱数値範囲、つまり突然時短あるいは突然確変とならない大当りに割り当てられた範囲を連続的な値としたことにより、先読みコマンドの発生契機を判断するプログラム上の判断処理を簡易化することで、ＲＯＭ容量の節約が達成されている。
【００５８】
また、本実施形態では、先読みコマンド発生条件として、突然時短あるいは突然確変以外の大当り当選時を例に示しているが、先読みコマンドを発生させる乱数値を、確変図柄に偏らせていてもよい。例えば、図６（ｄ）に示した条件を、低確率時９１≦Ｒ１≦１２５および７１≦Ｒ２≦９９又はＲ２＝０、高確率時１≦Ｒ１≦１２５および７１≦Ｒ２≦９９又はＲ２＝０とすることなどである。このような構成とすれば、連続予告が発生して当りとなった場合には、確率変動となる可能性が高くなるので、遊技者に期待感を持たせることができる。また、さらに、大当りの場合には、確率変動を行う場合にのみ先読みコマンドを発生するようにしてもよい。この場合も、上記に記載した、先読みコマンド発生の条件を変えるのみでこの構成を実現することができる。
【００５９】
本実施形態におけるパチンコ遊技機１は、上記単作動当りとして、第１単作動当りと第２単作動当りを有している。これらの態様を図７に示す。
【００６０】
第１単作動当りは、変動時間（図柄確定までの時間）として長時間（この場合は３８秒）を有し、この後に２秒の小当り遊技を行う当りである。
【００６１】
図７（ａ）に第１単作動当りの場合の液晶表示部１５の表示と、大入賞口２３の開放態様について図示している。上段に液晶表示部１５の演出表示を示し、下段に大入賞口２３の開閉を示している。第１単作動当りの演出としては、リーチハズレ演出が所定の確率で行われる。図では例としてリーチＤハズレ演出を行う場合を示している。第１単作動当りの小当り遊技としては、遊技球の入球が殆ど期待出来ない態様、例えば０．５秒の開放が一回のみ行われるようになっている。この場合、まず、（イ）の如く液晶表示部にて変動表示が開始され、所定時間後に（ロ）のように、三つの図柄のうち、左図柄と右図柄が例えば揃った状態（リーチ状態）となるように表示される。そして、このリーチ状態となった後、残り１つの図柄の変動表示及びキャラクタのアニメーション表示などが行われた後、（ハ）のように、装飾図柄をハズレ態様で停止させる。そして、リーチ状態になってから（ハ）のハズレ態様の停止の間に、特別図柄の停止表示を行い、小当り遊技に突入する。そして、小当り遊技終了時と同時に（ハ）の装飾図柄の停止表示を行うように制御する。
【００６２】
一方、抽選結果がハズレの場合のリーチＤハズレ演出は、変動時間として４０秒を有し、特別図柄の変動停止表示と同時に装飾図柄の停止表示を行うように制御される。そして、図７（ａ）に示した（イ）→（ロ）→（ハ）の表示と同様のタイミングで同様の表示を行うようになっている。一方、抽選結果が当りの場合のリーチＤ当り演出は、（イ）→（ロ）までの表示は同様であるが、（ハ）のタイミングでは「７，７，７」等の当り装飾図柄（揃い図柄）で停止し、その後大当り遊技に突入するように制御される。
【００６３】
第２単作動当りは、変動時間（図柄確定までの時間）として短時間（この場合は１０秒）を有し、この後に小当り遊技を行う当りである。
【００６４】
図７（ｂ）に第２単作動当りの場合の液晶表示部１５の表示と、大入賞口２３の開放態様について図示している。上段に液晶表示部１５の演出表示を示し、下段に大入賞口２３の開閉を示している。第２単作動当りの演出としては、（ニ）の如く変動を開始し、（ホ）の如く特定のチャンス目、すなわち「１，２，３」などの特定の出目で停止する演出が行われる。そして、特別図柄の変動としては６秒の変動後、大入賞口を見かけ上２回（０．５秒間ずつ）開放する小当り遊技を４秒間行う構成となっている。この２回の開放は１回の作動信号で行われるようになっている。
【００６５】
図７（ｃ）に突然確変（２Ｒ確変当り）の場合の液晶表示部１５の表示と、大入賞口２３の開放態様について図示している。上段に液晶表示部１５の演出表示を示し、下段に大入賞口２３の開閉を示している。突然確変の演出としては、（ヘ）の如く変動を開始し、（ト）の如く特定のチャンス目、すなわち「１，２，３」などの特定の出目で停止する演出が行われる。そして、特別図柄の変動としては６秒の変動後、大入賞口を２回（０．５秒間ずつ）開放する大当り遊技を４秒間行う構成となっている。この２回の開放は１回ずつ２回の作動信号で行われるようになっている。
【００６６】
図７（ｂ）に示した第２単作動当りの演出と、突然確変の場合の演出とは見かけ上ほぼ同様の演出表示及びほぼ同様の大入賞口の開放が行われるため、遊技者に確率変動が行われる期待感を図５（ｂ）の演出において抱かせうるとともに、確率変動を行う大当りを生起する確率を適切に抑える事が可能になっている。
【００６７】
図８に、主制御基板２００で行われる第１特別図柄対応乱数取得処理について示す。まず、ステップＳ１００で第１始動入賞（始動口２０への入球）があるかどうかを判定する。この判定は、始動口センサ３０からの入力によって判定される。そして、第１始動入賞があると、ステップＳ１０１で乱数の取得処理を行う。この時取得される乱数は、大当り乱数Ｒ１、大当り図柄乱数Ｒ２、リーチ乱数Ｒ３、変動パターン乱数Ｒ４である。このステップＳ１０１の乱数の取得処理は、始動条件の成立に基づいて乱数を取得する乱数取得手段として働くものである。続いて、ステップＳ１０２で第１保留球数記憶部のカウントが上限の４以下かどうかを判断する。４以下である場合は、ステップＳ１０３に進んで第１保留球数記憶部のカウントをプラス１する。次に、ステップＳ１０４で置数ａに１を代入し、続いてステップＳ１０５で特別図柄用保留記憶部における第ａ番目の保留球記憶部が空いているかどうかを判定する。空いている場合は、ステップＳ１０６において取得した乱数の判定処理を行う。そして、ステップＳ１０６の判定に基づいて、ステップＳ１０７で取得乱数値が先読みコマンドを発生するべき乱数値かどうかを判定し、ＹＥＳの場合は、ステップＳ１０８において先読みコマンドを第１副制御部（サブ）に送信する。この先読みコマンドを送信する場合は、保留球数記憶部の合計値、つまり保留記憶数を示す保留球数コマンドも同時に送信される。ステップＳ１０７の判定処理は、乱数取得手段によって取得された所定の乱数について、前記当否判定手段による当否判定結果に基づいた事前作動を、前記可変表示実行手段による可変表示の実行以前に、前記装飾識別情報可変表示手段において行うかどうかを決定する事前作動可否決定手段として働くものである。そして、ステップＳ１０９で第ａ番目の保留球記憶部に第１特別図柄の保留球であることを識別するための保留対応フラグ「０」と、取得した大当たり抽選用乱数を記憶する処理を行う。ステップＳ１０７の判定がＮＯの場合は、そのままステップＳ１０９に進む。これらのＲＡＭへの記憶処理は、ＣＰＵ２０１の指令に基づいて、ＲＡＭ２０３に記憶する形で行われる。ステップＳ１０９の記憶処理は、可変表示の実行条件が充足していない場合に、始動条件が成立した場合に、乱数取得手段により取得された乱数を一時的に記憶する取得乱数一時記憶手段として働くものである。
【００６８】
ステップＳ１０５で第ａ番目の保留球記憶部が空いていない場合は、ステップＳ１１０で置数ａをプラス１し、ステップＳ１１１で、第１及び第２保留球の合計上限の８を越えるまで、第ａ番目の保留球記憶部の空きを検索し、空いている記憶部を見つけてステップＳ１０６〜１０９の記憶処理を行う。ステップＳ１０２で第１保留球数記憶部のカウントが上限の４を超えるか、または、ステップＳ１１１でａが８を超えると、ステップＳ１１２で、取得した抽選用乱数を記憶せずに破棄する。
【００６９】
図９に、主制御基板２００で行われる第２特別図柄対応乱数取得処理について示す。まず、ステップＳ２００で第２始動入賞（役物始動口２１への入球）があるかどうかを判定する。この判定は、役物始動口センサ３１からの入力によって判定される。そして、第２始動入賞があると、ステップＳ２０１で乱数の取得処理を行う。この時取得される乱数は、大当り乱数Ｒ１、大当り図柄乱数Ｒ２、リーチ乱数Ｒ３、変動パターン乱数Ｒ４である。このステップＳ２０１の乱数の取得処理は、始動条件の成立に基づいて乱数を取得する乱数取得手段として働くものである。続いて、ステップＳ２０２で第２保留球数記憶部のカウントが上限の４以下かどうかを判断する。４以下である場合は、ステップＳ２０３に進んで第１保留球数記憶部のカウントをプラス１する。次に、ステップＳ２０４で置数ａに１を代入し、続いてステップＳ２０５で特別図柄用保留記憶部における第ａ番目の保留球記憶部が空いているかどうかを判定する。空いている場合は、ステップＳ２０６に進んで割込コマンドを第１副制御部（サブ）に送信する。この割込コマンドは、その乱数に応じた抽選結果の作動が、第１始動入賞よりも優先されることを示すものである。そして、ステップＳ２０７において取得した乱数の判定処理を行う。そして、ステップＳ２０７の判定に基づいて、ステップＳ２０８で取得乱数値が先読みコマンドを発生するべき乱数値かどうかを判定し、ＹＥＳの場合は、ステップＳ２０９において先読みコマンドを第１副制御部（サブ）に送信する。この先読みコマンドを送信する場合は、保留球数記憶部の合計値、つまり保留記憶数を示す保留球数コマンドも同時に送信される。ステップＳ２０８の判定処理は、乱数取得手段によって取得された所定の乱数について、前記当否判定手段による当否判定結果に基づいた事前作動を、前記可変表示実行手段による可変表示の実行以前に、前記装飾識別情報可変表示手段において行うかどうかを決定する事前作動可否決定手段として働くものである。そして、ステップＳ２１０で第ａ番目の保留球記憶部に第２特別図柄の保留球であることを識別するための保留対応フラグ「１」と、取得した大当たり抽選用乱数を記憶する処理を行う。ステップＳ２０８の判定がＮＯの場合は、そのままステップＳ２１０に進む。これらの記憶処理は、ＣＰＵ２０１の指令に基づいて、ＲＡＭ２０３に記憶する形で行われる。ステップＳ２１０の記憶処理は、可変表示の実行条件が充足していない場合に、始動条件が成立した場合に、乱数取得手段により取得された乱数を一時的に記憶する取得乱数一時記憶手段として働くものである。
【００７０】
ステップＳ２０５で第ａ番目の保留球記憶部が空いていない場合は、ステップＳ２１１で置数ａをプラス１し、ステップＳ２１２で、第１及び第２保留球の合計上限の８を越えるまで、第ａ番目の保留球記憶部の空きを検索し、空いている記憶部を見つけてステップＳ１０６〜１０９の記憶処理を行う。ステップＳ２０２で第２保留球数記憶部のカウントが上限の４を超えるか、または、ステップＳ２１２でａが８を超えると、ステップＳ２１３で、取得した抽選用乱数を記憶せずに破棄する。
【００７１】
図１０は、主制御部１１０が行う特別図柄の遊技制御処理を示すフローチャートである。まず、ステップＳ３００の特別図柄変動前処理について説明する。
【００７２】
図１１に特別図柄変動前処理、及び、主制御部１１０のＲＡＭ１１３に設けられる特別図柄保留球記憶エリアの構成を示す。ステップＳ４００で第１及び第２の保留球数記憶部が共に０なら特別図柄関連処理を直ちに終える。ステップＳ４００で未処理の保留球がある場合、ステップＳ４０１にて、第２保留球数が０かどうかを判定する。ＮＯの場合、つまり、第２保留球数がある場合はステップＳ４０２で置数ｃに１を代入し、続いてステップＳ４０３で特別図柄用保留記憶部における第ｃ番目の保留記憶部の保留対応フラグが「１」であるかどうかを判定する。保留対応フラグが「１」であれば、この保留記憶部の乱数が第２特別図柄に対応するものであることが分かるので、ステップＳ４０４で第ｃ番目の乱数を作動用乱数記憶部にシフト処理することを決定し、ステップＳ４０５で第２保留球数記憶部から−１する。そして、ステップＳ４０９で特別図柄保留球記憶エリアのシフト処理を行う。このシフト処理では、第ｃ番目の保留記憶部の乱数を作動用乱数記憶部にシフト処理するとともに、第ｃ番目以降の保留球記憶部の値を順に１つずつ前の番号の記憶部にシフトする。
【００７３】
ステップＳ４０３の判定がＮＯの場合、置数ｃをプラス１し、ステップＳ４０７でｃが８を超えるまで、保留対応フラグが「１」の記憶部を検索する。ステップＳ４０７の判定がＹＥＳの場合、あるいは、ステップＳ４０１の判定がＹＥＳの場合（第２保留球数記憶部の値が０の場合）は、ステップＳ４０８で第１保留球数記憶部の値から−１する。そして、ステップＳ４０９で特別図柄保留球記憶エリアのシフト処理を行う。特別図柄保留記憶部において最先に取得および記憶した第１保留球記憶部の大当たり抽選用乱数及び保留対応フラグを作動用乱数記憶部に、乱数記憶部に、二番目取得記憶のある場合は第２保留球記憶部の大当たり乱数等を第１保留球記憶部に、三番目取得記憶のある場合は第３保留球記憶部の大当たり乱数等を第２保留球記憶部に、四番目取得記憶のある場合は第４保留球記憶部の大当たり乱数等を第３保留球記憶部に、五番目取得記憶のある場合は第５保留球記憶部の大当たり乱数等を第４保留球記憶部に、六番目取得記憶のある場合は第６保留球記憶部の大当たり乱数等を第５保留球記憶部に、七番目取得記憶のある場合は第７保留球記憶部の大当たり乱数等を第６保留球記憶部に、八番目取得記憶のある場合は第８保留球記憶部の大当たり乱数等を第７保留球記憶部に、順次一階層だけシフト処理する。これらの処理を行った後、サブルーチンをリターンする。
【００７４】
これらの特別図柄変動前処理のステップＳ４０１〜ステップＳ４０７の構成により、保留球記憶エリアにある第２特別図柄対応乱数を優先的に作動用乱数記憶部にうつして判定する、第２特別図柄優先消化手段が実現されている。
【００７５】
図１０に戻り、特別図柄の遊技制御処理の説明を続ける。次のステップＳ３０１では、乱数判定処理を行う。具体的には、ステップＳ３００の処理によって作動用乱数記憶部にシフトされた乱数について、大当り抽選テーブルを参照し、各大当り抽選テーブルに格納された当選判定値の何れかと、抽選用乱数が一致するかどうかを判定し、一致する場合は大当り、一致しない場合はハズレと判定する。この大当たり抽選テーブルは、通常状態では所定個数、例えば１０個の当選判定値が格納された第１の大当たり抽選テーブル、確変状態では、例えばこの１０倍、１００個の当選判定値が格納された第２の大当り抽選テーブルを参照する。この、大当り確率が向上した確率変動状態では、主制御部１１０のＲＡＭ１１３に記憶される確変フラグＦＲの値としてＦＲ＝１が書き込まれている。一方、通常状態では、ＦＲの値としてはＦＲ＝０が書き込まれている。このＦＲの値を「１」に書き換える制御は、後述の大当り種別判定処理にて確率変動を行うことが決定された場合に行われる。一方、「１」の状態のＦＲの値を「０」に書き換える制御は、大当り種別判定にて通常大当りが決定された場合に行われる。これらの主制御部１１０によって行われる判定処理は、乱数取得手段によって取得された乱数により当否を判定する当否判定手段として働くものである。
【００７６】
次のステップＳ３０２では、大当り当選か否かを判断し、ＮＯと判断した場合、ステップS３０３に移行して小当りかどうかを判断する。そして、ステップS３０３でNO、即ちハズレと判断した場合には、ステップＳ３０４に移行して、ハズレ変動時間決定処理を行う。後述する特別図柄変動に同期して、液晶表示部１５では、例えば左図柄、中図柄、右図柄の演出図柄のスクロール変動を伴う動画演出が実行される。具体的には、左図柄、中図柄、右図柄の変動を一斉に開始した後、左図柄、右図柄、中図柄の順で停止、あるいは左図柄及び右図柄を同時停止させた後、中図柄を停止させる。この結果、当りの場合には有効ライン上に、何れかの演出図柄の３つ揃い（以下、大当り図柄組合せ）が成立する。ハズレの場合には、前記演出図柄３つ揃い以外（以下、ハズレ図柄組合せという）が成立する。
【００７７】
一方、図１０に示すステップＳ３０２にてＹＥＳと判断した場合、即ち大当り抽選に当選している場合には、ステップＳ３０５へ移行して、大当り種別を決定する。この大当り種別の決定は、特別図柄乱数に含まれ、特別図柄保留球記憶エリアに記憶される大当たり種別抽選用乱数と保留対応フラグの状態に基づいて、図６（ｂ）（ｃ）のような大当り種別抽選テーブルを用いて行われる。次のステップＳ３０６では、大当り時の特別図柄変動時間決定処理を行う。
【００７８】
一方、図１０に示すステップS３０３にてＹＥＳと判断した場合、即ち小当りに当選している場合には、ステップＳ３０７へ移行して小当り変動時間決定処理を行う。ハズレ時のステップＳ３０４、大当り時のステップＳ３０６、小当たり時のステップＳ３０７の処理によって、液晶表示部１５等で演出を行うための変動パターン番号が決定される。これらのステップＳ３０４、ステップＳ３０６、ステップＳ３０７の処理は、乱数（変動パターン乱数Ｒ４）の値に基づいて、前記可変表示実行手段より実行される可変表示を実行する時間を定める可変表示時間決定手段として働くものである。
【００７９】
次のステップＳ３０８では、第１副制御部のＣＰＵ２２１へ演出開始コマンドを送信する。この演出開始コマンドには、大当り種別番号（ハズレの場合はハズレ専用番号）と、変動パターン番号とが含まれており、第１副制御部のＣＰＵ２２１は、大当り種別番号に応じて、特別図柄変動停止時に、液晶表示部１５の有効ライン上に大当り図柄を表示させるか否か、あるいはこの有効ライン上に揃える揃い図柄を決定するとともに、変動パターン番号に応じて、ハズレ演出及び、大当り演出のいずれかの演出を決定することが可能となっている。従って、第１副制御部１２０のＣＰＵ２２１は、演出開始コマンドの受信によって、特別図柄変動に同期し、特別図柄の停止表示結果、即ち大当り抽選結果に即した演出を実行可能となっている。
【００８０】
続くステップＳ３０９では、特別図柄表示部における特別図柄変動及び変動時間の計測を開始する。次のステップＳ３１０では、特別図柄変動時間が経過したか否かを判断し、ＹＥＳと判断されるまで、同じ判断を繰り返す。又、特別図柄変動中には、第１副制御基板２２０のＣＰＵ２２１によって、液晶表示部１５上で種々の動画演出が実行される。
【００８１】
ステップＳ３１０がＹＥＳと判断された場合は、続いてステップＳ３１１にて特別図柄の変動を終了し、大当り種別番号に応じた停止図柄を特別図柄表示部に表示する。このステップＳ３１１の処理は、可変表示時間決定手段により決定された可変表示時間の経過後に前記当否判定手段による当否判定結果に応じた態様で可変表示を停止する可変表示停止手段として働くものである。また、同時に、ステップＳ３１２にて、第１副制御基板２２０のＣＰＵ２２１へ演出終了コマンドを送信し、演出終了コマンドを受信した第１副制御基板２２０のＣＰＵ２２１は、特別図柄表示部の停止図柄に整合した大当り図柄あるいはハズレ図柄を液晶表示部１５の有効ライン上に確定表示する。
【００８２】
次のステップＳ３１３では、時短遊技中か否かを判断する。このステップＳ３１３の判断は、主制御部１１０のＲＡＭ１１３に記憶される時短フラグＦｊの値が「１」かどうかにより判定される。この時短フラグＦｊは、図５で示した、終了後時短になる大当りの終了時に「０」から「１」に書き換えられる。なお、「１」が時短中、「０」が時短中でないことを表している。ステップＳ３１３の判定がＹＥＳの場合は、ステップＳ３１４にて時短残回数を１減算する。この時短残回数は、主制御部１１０のＲＡＭ１１３に記憶される時短回数カウンタＣｊの値により制御される。この時短回数カウンタＣｊは、終了後時短になる大当たりの終了時にＣｊ＝１００にセットされる。なお、前述した確変フラグＦＲと時短フラグＦｊの主制御部１１０による書き換え制御は、確率変動状態あるいは時短状態による賞球の獲得条件の有利化を行う賞球獲得条件有利化手段として働くものである。
【００８３】
ステップＳ３１４に続いて、ステップＳ３１５に移行し、減算後の時短回数が０かどうかを判断する。ＹＥＳの場合は、ステップＳ３１６に進み、時短フラグの値を０に変えて時短遊技を終了する。ＮＯの場合は、後述のステップＳ３１７へと移行する。一方ステップＳ３１３の判定がＮＯの場合は、そのまま後述するステップＳ３１７に移行する。ステップＳ３１７では、今回の抽選結果が大当りかどうかを判断する。ＹＥＳの場合は、ステップＳ３１８にうつって大当り遊技処理を行ってステップＳ３００に再び戻る。ＮＯの場合は、ステップＳ３１９に移行し、小当りかどうかを判断する。そして、ＹＥＳの場合は、ステップＳ３２０に移って小当り遊技を行って、ステップＳ３００に再び戻る。ステップＳ３１９の判断がＮＯの場合は、そのままステップＳ３００に戻る。ステップＳ３１８の大当り遊技処理と、ステップＳ３２０の小当り遊技処理は、当否判定手段による判定が特定の結果（大当りあるいは小当り）である場合に、可変入賞装置を作動させる当選遊技を実行する当選遊技実行手段として働くものである。
【００８４】
図１２に、第１副制御基板２２０で行われるコマンド受信制御を示している。第１副制御部２２０には、主制御部から後述の装飾図柄の変動を指示するコマンド以外に、先読みコマンド、割込コマンドが送信される。第１副制御部２２０では、これらを受けて、後述する変動制御を行うフラグの制御を行うようになっている。
【００８５】
まず、ステップＳ５００で主制御基板２００から先読みコマンドを受信したかどうかを判定する。ＹＥＳの場合、ステップＳ５０１に進んで割込コマンドを受信したかどうかを判定する。ステップS５０１の判定がYESの場合、ステップS５０２に進んで割込カウンタＷｎの値についてＷｎ≧１かどうかを判断する。割込カウンタＷｎは、主制御基板２００からの割込コマンドを受けて、保留球内に第２特別図柄に対応するものが何個存在するかをカウントするためのカウンタである。ＹＥＳの場合、ステップＳ５０３に進んで連続予告カウンタＣｎの値をＷｎの値に書き換える。そして、ステップＳ５０４で先読みフラグＦＢの値を１に書き換えてリターンする。ステップＳ５０２の判定がＮＯの場合は、ステップＳ５０５に進んで、装飾図柄の残変動時間が所定のＴ０（例えば３秒）以上かどうかを判断する。そして、ＹＥＳの場合は、ステップＳ５０６に進んで役物作動パターンコマンドＰ１をセットする。このコマンドＰ１は、後述する可動物ＭＯを動作パターン１で駆動し、表面のＬＥＤを青色発光させるコマンドである。そして、ステップＳ５０５の判定がＮＯの場合は、そのままリターンする。
【００８６】
ステップＳ５０１の判定がＮＯの場合は、ステップＳ５０７に移って先読みフラグＦＢの値が１かどうかを判断する。この先読みフラグＦＢは、第１副制御部２２０のＲＡＭ２２３に記憶されるものであり、この値が０の場合には、連続予告が実行中で無いことを表しており、１の場合は連続予告が実行中であることを表している。そして、ステップS５０７の判定がYESの場合は、新たに連続予告をセットすることなくそのままリターンする。NOの場合は、ステップS５０８にうつって、現在の保留球数Nの値を連続予告カウンタCｎの値としてセットする。連続予告カウンタCｎは、保留内連続予告を行う場合に、連続予告を行う変動回数を規定するためのものである。そして、ステップS５０９に進んで先読みフラグＦＢの値を０から１に書き換える処理を行う。
【００８７】
ステップS５００の判定がNOの場合には、ステップS５１０で割込コマンドを受信したかどうかを判定する。YESの場合には、第２特別図柄に対応する保留記憶が１つ加算されているので、ステップS５１１でWnの値に１を加算する。そして、ステップS５１２において、先読みフラグＦＢの値が１かどうかを判断する。NOの場合はそのままリターンする。YESの場合はステップS５１３に移ってCｎの値に１を加算する処理を行う。
【００８８】
図１３に、主制御基板２００からの制御信号をうけて行われる第１副制御部２２０の装飾図柄変動処理についてのフローチャートを示している。これらのフローチャートに従う第２副制御部２２０の処理は、装飾識別情報可変表示手段（液晶表示部１５）における可変表示を制御する装飾識別情報可変表示制御手段として働くものである。まず、ステップＳ６００で主制御基板２００から演出開始コマンドを受信したかどうかを判断する。そして、受信した場合、ステップＳ６０１で先読みフラグＦＢの値が１かどうかを判断する。そして、ＹＥＳの場合、ステップＳ６０２で連続予告カウンタＣｎ、連続演出実行カウンタＤｎの値を確認する。連続演出実行カウンタＤｎは、連続演出を行う場合に、１回の変動ごとに１加算されて何回目の連続演出かを認識するためのカウンタであり、第１副制御部２２０のＲＡＭに記憶されている。そして、ステップＳ６０３でＣｎの値が０かどうかを判断する。ＹＥＳの場合は、連続予告の最終回の演出となるので、ステップＳ６０４で先読みフラグＦＢの値を０に書き換える処理を行う。
【００８９】
ステップＳ６０３の判定がＮＯの場合は、連続予告の実行中となるので、ステップＳ６０５でＣｎ、Ｄｎの値に応じた特殊停止出目をセットする。そして、ステップＳ６０６にうつり、Ｃｎの値から１を減算する処理を行う。その後、ステップＳ６０７にうつって、Ｄｎ回目の役物駆動パターンをセットする処理を行う。
【００９０】
図１４（ａ）に、Ｃｎ、Ｄｎの値と、それに対応する停止出目について示している。例えば、４回の連続予告を行う場合、Ｄｎの値が１→２→３→４と上がっていくにつれて、停止する出目を「７，７，３」→「７，７，４」→「７，７，５」→「７，７，６」というように大当り出目の「７，７，７」に近づける制御を行う。そして、ＣｎとＤｎの値に対応して停止出目の値が１対１に定められている。これらの停止出目は、特殊変動パターンの一例として示したものであり、これに代えて、変動を低速化したり、逆方向に変動させたりといった変動方向あるいは速度に関する特殊パターンであってもよい。つまり、通常の大部分の変動とは異なる態様の変動パターンを特殊パターンとして定義するものである。図１１のステップＳ６０５ではこれを参照して、停止する出目の値を書き換える制御を行う。
【００９１】
図１４（ｂ）に、Ｄｎの値と、可動物（役物）の動作パターンの対応関係を示している。盤面に備えられている可動役物は、図１４（ｃ）に示したように、例えば回動軸Ｄを中心に回転する構造の刀型をしており、表面には多色ＬＥＤが配置されている。そして、動作する場合は、右図に示したように種々の動作パターンで液晶画面１５の前面にむけて回動する。図１４（ｂ）に戻って、連続演出一回目であるＤｎ＝１の場合、表面のＬＥＤを青色発光させるとともに、パターン１で役物動作（回動動作）を行う。Ｄｎ＝２の場合、表面のＬＥＤを緑色発光させるとともに、パターン２で役物動作（回動動作）を行う。Ｄｎ＝３の場合、表面のＬＥＤを赤色発光させるとともに、パターン３で役物動作（回動動作）を行う。Ｄｎ＝４の場合、表面のＬＥＤを白色発光させるとともに、パターン４で役物動作（回動動作）を行う。Ｄｎ＝５の場合、表面のＬＥＤをレインボー発光させるとともに、パターン５で役物動作（回動動作）を行う。これらの役物動作を行う為の時間（動作時間）は、液晶表示部１５における演出表示の時間、つまり、装飾図柄を変動させる変動時間の最小値よりも小さく、例えば３秒に設定されている。図１２のステップＳ５０５の判定に用いるＴ０の値は、この値に設定される。
【００９２】
図１３に戻って、装飾図柄変動制御処理の説明を続ける。ステップＳ６０７で役物駆動パターンをセットした後、ステップＳ６０８で連続演出実行カウンタＤｎの値に１を加算し、ステップＳ６０９に移って演出開始、つまり装飾図柄の変動表示と、それに付随するアニメーションなどの表示を開始する。そして、ステップＳ６１０で主制御基板２００からの停止コマンドの送信を待機する。そして、停止コマンドを受信した場合は、これに基づいてステップＳ６１１に移って、その回の変動を停止し、装飾図柄の確定表示を行う。この際、ステップＳ６０５において特殊出目が設定されている場合は、停止する装飾図柄を強制的にこの特殊出目に書き換えて停止させる。また、ステップＳ６０９における演出開始と、ステップＳ６１１における演出停止の間の所定のタイミングにおいて、ステップＳ６０７でセットした役物駆動パターンで可動物ＭＯを駆動する。
【００９３】
図１５に、上述の制御を行った場合の連続予告の演出例を示している。図１５（ａ）に、保留球が二つの状態で入球した遊技球によって取得された乱数に対する抽選結果が大当りであった場合で、これに起因して主制御基板２００から先読みコマンドが導出された場合を示している。この場合はハズレ変動である第１変動（１個目の保留球に対応する変動）、及びハズレ変動である第２変動（２個目の保留球に対応する変動）として特定出目の停止が行われる。これによって、遊技者に対して出目が当り出目に近づいている印象を与える事ができる。そして、第３変動（連続変動の契機となった乱数に対応する変動）としてリーチ当り変動が行われて、連続予告が終了する。
【００９４】
図１５（ｂ）に、保留球が二つの状態で入球した遊技球によって取得された乱数に対する抽選結果が第１小当りであった場合で、これに起因して主制御基板２００から先読みコマンドが導出された場合を示している。この場合はハズレ変動である第１変動（１個目の保留球に対応する変動）、及びハズレ変動である第２変動（２個目の保留球に対応する変動）として特定出目の停止が行われる。これによって、遊技者に対して出目が当り出目に近づいている印象を与える事ができる。そして、第３変動（連続変動の契機となった乱数に対応する変動）としてリーチハズレ変動が行われて、連続予告が終了する。
【００９５】
ここで、第１小当りの変動パターンとして、図４で示した如く、必ずリーチハズレ変動を行うようにした場合、第１小当りの乱数値取得時に先読みコマンドを発生するようにすることで、保留内連続演出の発展先としてリーチ演出を設定する事ができ、連続予告のリーチ発生に対する信頼性を担保することができる。これにより、遊技者の保留内予告発生に対する期待感を向上させることができる。また、本実施形態では必ずリーチハズレ変動を行うようにしたが、これに限らず、高確率でリーチハズレ変動を行うように設定してもよい。例えば、９０％の確率でリーチハズレ変動を行うようにする事が考えられる。また、高確率で行う場合には、リーチハズレ変動が行われない場合には、１変動内で複数回装飾図柄の停止を行う疑似連続変動を行うように設定してもよい。これらの場合にも、保留内連続演出が発生した場合には、高確率でリーチが発生することが確定しているため、遊技者の期待感を喚起することができる。この場合の高確率とは、約８０％以上とすることが、上述の効果を奏する上で有効である。なお、小当りの確率を適切に設定することによって、適度な確率で保留内連続演出を出現することが可能になるとともに、保留内連続演出を行わせるためのコマンド（先読みコマンド）をＲ１の乱数値を参照するのみによって導出する構成を実現することができるため、プログラム構成上も簡易なものとすることができる。
【００９６】
図１５（ｃ）に、保留球が二つの状態で入球した遊技球によって取得された乱数に対する抽選結果が［１＋１５］Ｒ大当りであった場合で、これに起因して主制御基板２００から先読みコマンドが導出された場合を示している。この場合はハズレ変動である第１変動（１個目の保留球に対応する変動）、及びハズレ変動である第２変動（２個目の保留球に対応する変動）として特定出目の停止が行われる。これによって、遊技者に対して出目が当り出目に近づいている印象を与える事ができる。そして、第３変動（連続変動の契機となった乱数に対応する変動）として、一旦リーチハズレ変動が行われるが、その後装飾図柄を再変動させて大当り図柄で揃えるとともに、大入賞口の長時間（３０秒）の開放が行われる。この場合の演出は、リーチハズレ停止までは図１５（ｂ）のパターンと同様のパターンで進行するため、遊技者は一旦落胆した後、望外の歓喜に浸ることになる。
【００９７】
この構成により、第１小当りの確率をある程度高く設定した場合にも、小当り態様の開放（０．５秒）が行われる場合に大当り遊技に移行する期待感を遊技者に与えることができる。この効果は、第１小当りを契機に連続演出を行う構成、及び、第１ラウンドを第１小当りとほぼ同態様で開放する［１＋１５］Ｒ大当りを設けたことによるものである。
【００９８】
なお、上述の実施形態では、第１当選遊技として各種大当り、第２当選遊技として小当りを設定した実施形態を示している。しかし、２Ｒ突然確変大当り、つまり大入賞口を二回のみ瞬時開放する大当りが頻繁に発生するような遊技機であれば、第２当選遊技としてこの２Ｒ突然確変大当りを設定し、他の出玉のある大当りを第１当選遊技として設定することも可能である。例えば、２Ｒ突然確変大当りが大当り種別抽選において５０％以上の確率で当選する場合等が例示できる。これらの場合、実質的には出玉を期待できない２Ｒ確変大当りに当選したことを利用して、この２Ｒ突然確変大当りの演出として上述のリーチハズレ演出を行う。そして、これらのリーチハズレ演出を最終変動とする連続演出を行う構成とする。これらの構成によっても、上述した実施例と同じく、連続演出の発展先として、リーチ演出を高確率で設定することが可能になり、同様の効果を得られる。
【００９９】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【図面の簡単な説明】
【０１００】
【図１】本発明にかかる弾球遊技機の一実施形態として示すパチンコ遊技機１の外観図である。
【図２】本発明の実施形態にかかるパチンコ遊技機１の遊技盤５の構成を示している。
【図３】図柄表示領域ＤＧの構成を示した図である。
【図４】抽選結果に対する液晶表示部１５における演出の選択率を示している。
【図５】本発明の実施形態におけるパチンコ遊技機１の電気的なブロック構成を示す。
【図６】（ａ）大当り乱数Ｒ１（０〜９９９）における当選値と、対応する賞の種別を表した図である。（ｂ）大当り図柄乱数Ｒ２（０〜９９）における乱数値と、対応する大当り内容を示した図である。（ｃ）低確率時（通常状態時）と、高確率時（確率変動状態）において、主制御部１０１で先読みコマンド（連続予告を発生するコマンド）を発生する条件を示した図である。
【図７】（ａ）第１単作動当りの場合の液晶表示部１５の表示と、大入賞口２３の開放態様について図示している。（ｂ）第２単作動当りの場合の液晶表示部１５の表示と、大入賞口２３の開放態様について図示している。（ｃ）突然確変（２Ｒ確変当り）の場合の液晶表示部１５の表示と、大入賞口２３の開放態様について図示している。
【図８】第１特別図柄対応乱数取得処理についてのフローチャートである。
【図９】第２特別図柄対応乱数取得処理についてのフローチャートである。
【図１０】特別図柄の遊技制御処理を示すフローチャートである。
【図１１】特別図柄変動前処理、及び、主制御部１１０のＲＡＭ１１３に設けられる特別図柄保留球記憶エリアの構成を示したフローチャートである。
【図１２】第１副制御基板２２０で行われるコマンド受信制御を示したフローチャートである。
【図１３】主制御基板２００からの制御信号をうけて行われる第１副制御部２２０の装飾図柄変動処理についてのフローチャートである。
【図１４】（ａ）Ｃｎ、Ｄｎの値と、それに対応する停止出目について示している。（ｂ）Ｄｎの値と、可動物（役物）の動作パターンの対応関係を示している。（ｃ）盤面に備えられている可動物（可動役物）の態様を示す図である。
【図１５】（ａ）保留球が二つの状態で入球した遊技球によって取得された乱数に対する抽選結果が大当りであった場合の演出を示す図である。（ｂ）保留球が二つの状態で入球した遊技球によって取得された乱数に対する抽選結果が小当りであった場合の演出を示す図である。（ｃ）保留球が二つの状態で入球した遊技球によって取得された乱数に対する抽選結果が［１＋１５］Ｒ大当りであった場合の演出を示す図である。
【符号の説明】
【０１０１】
１  パチンコ遊技機、５  遊技盤、１５  液晶表示部（装飾図柄表示部）、ＤＧ  図柄表示領域
【図１】
0005416365.tif 000002
【図２】
0005416365.tif 000003
【図３】
0005416365.tif 000004
【図４】
0005416365.tif 000005
【図５】
0005416365.tif 000006
【図６】
0005416365.tif 000007
【図７】
0005416365.tif 000008
【図８】
0005416365.tif 000009
【図９】
0005416365.tif 000010
【図１０】
0005416365.tif 000011
【図１１】
0005416365.tif 000012
【図１２】
0005416365.tif 000013
【図１３】
0005416365.tif 000014
【図１４】
0005416365.tif 000015
【図１５】
0005416365.tif 000016